(57)【要約】【課題】重量の増加及び大型化を抑えて据置き及び壁掛け兼用の支持体の剛性を高めることができるともに、据置き及び壁掛けされる際の取付構造を等しくすることができ、支持体の着脱作業性を高めることができる支持体及び表示装置を提供する。【解決手段】床面又は壁面に当接する当接面を有する基体２１と、該基体２１の周縁から立上がる枠部２３と、該枠部２３の頂部に連なり、基体２１と上下に離隔して対向する取付部２２とを有し、該取付部２２には、上下に貫通し、挿入される雄螺子３を保持する第１孔２６を設け、基体２１には、第１孔２６に対向し、前記雄螺子３が挿通される第２孔２４及び該第２孔２４と前記当接面に沿う方向へ離隔し、壁面に装着される掛止体に掛止される掛止孔２５を設けた。【選択図】図４
2011002717.tif 000002
【特許請求の範囲】
【請求項１】
床面又は壁面に当接する当接面を有する基体及び表示機器に取付けられる取付部とを有し、前記表示機器を床面又は壁面に支持する支持体において、前記基体及び取付部は離隔して対向し、前記取付部は、前記離隔する方向へ貫通し、前記表示機器に固定される締結体を挿入して保持する第１孔を有し、前記基体は、前記第１孔に対向し、前記締結体が挿通される第２孔及び該第２孔から前記当接面に沿う方向へ離隔し、前記壁面に装着される掛止体に掛止される被掛止部を有することを特徴とする支持体。
【請求項２】
前記第１孔は小径であり、前記第２孔は前記第１孔より大径である請求項１記載の支持体。
【請求項３】
前記基体は板状をなしており、該基体の周縁部及び前記取付部に連なる枠部を有する請求項１又は２記載の支持体。
【請求項４】
前記枠部内に回路基板を装着してある請求項３記載の支持体。
【請求項５】
前記取付部には、前記回路基板に接続されるコネクタを設けてある請求項４記載の支持体。
【請求項６】
前記枠部に第３孔を開設してある請求項３記載の支持体。
【請求項７】
表示面を有する表示部及び前記表示面を露出させて前記表示部を収容する筐体を有する表示機器と、該表示機器に装着される請求項１から６のいずれか一つに記載の支持体とを備え、前記筐体は、前記表示面に沿う方向の一側と、前記表示面と対向する他側とに、前記第１孔に対応する第４孔を開設してあることを特徴とする表示装置。
【請求項８】
前記筐体の他側に、前記支持体を収容する収容凹部を設けてある請求項７記載の表示装置。
【請求項９】
前記一側及び他側の夫々には、前記コネクタに対応する第２コネクタを設けてある請求項７又は８記載の表示装置。
【請求項１０】
前記第２コネクタ夫々は接続線にて接続されている請求項９記載の表示装置。
【発明の詳細な説明】
【技術分野】
【０００１】
本発明は表示面を有する表示機器を支持する支持体及び該支持体を備える液晶表示装置、プラズマ表示装置等の表示装置に関する。
【背景技術】
【０００２】
液晶テレビジョン等の薄型の表示装置は、前側に表示面を有する表示部及び前記表示面を露出させて前記表示部を収容する筐体を有する表示機器と、該表示機器に取付けられ、表示機器を起立状態で支持する支持体とを備える（例えば、特許文献１参照）。
【０００３】
支持体は、床面に当接する基体及び該基体から立ち上がる板形支柱を有し、該板形支柱に、厚さ方向へ貫通する貫通孔が開設されている。
【０００４】
また、表示機器の下面には、板形支柱が嵌入される嵌入孔が開設され、表示機器の後面には、板形支柱が挿入される凹所が開設されており、また、前記嵌入孔から前後方向に長い第１螺子孔と、前記凹所から上下方向に長い第２螺子孔とが開設されている。
【０００５】
表示機器が床面に据置きされる場合、板形支柱が表示機器の嵌入孔に嵌入され、該板形支柱の貫通孔に挿通される雄螺子が第１螺子孔に捩じ込まれることにより、板形支柱が固定される。
【０００６】
また、表示機器の下面に支持体が取付けられている表示装置が壁掛けされる場合、工具にて雄螺子を第１螺子孔から取外し、板形支柱を嵌入孔から抜き出し、該板形支柱を凹部に挿入し、板形支柱の貫通孔から第２螺子孔に雄螺子が捩じ込まれることにより、板形支柱が固定される。また、基体が複数本の雄螺子にて壁面に固定される。
【先行技術文献】
【特許文献】
【０００７】
【特許文献１】特開２００８−１６５０３５号公報
【発明の概要】
【発明が解決しようとする課題】
【０００８】
ところが、特許文献１のように床面に当接する基体から立上がる板形支柱を有し、該板形支柱に、厚さ方向へ貫通する貫通孔が開設されている支持体にあっては、表示機器が壁掛けされる場合、片持梁の板形支柱に、表示機器の荷重による大きな曲げ応力が加わるため、板厚の厚い板材を用いて支持体の剛性を高める等の対策が必要であり、重量の増加、及び大型化することになる。また、表示機器には嵌入孔と凹所とが別個に設けられ、据置きの場合は嵌入孔に板形支柱が嵌入され、壁掛けの場合は凹所に板形支柱が挿入され、支持体取付部の構造が異なるため、支持体の着脱操作が分かり難く、支持体の着脱作業性が悪いという問題がある。
【０００９】
本発明は斯かる事情に鑑みてなされたものであり、主たる目的は重量の増加及び大型化を抑えて据置き及び壁掛け兼用の支持体の剛性を高めることができるともに、据置き及び壁掛けされる際の取付構造を等しくすることができ、着脱作業性を高めることができる支持体及び表示装置を提供することにある。
【課題を解決するための手段】
【００１０】
本発明に係る支持体は、床面又は壁面に当接する当接面を有する基体及び表示機器に取付けられる取付部とを有し、前記表示機器を床面又は壁面に支持する支持体において、前記基体及び取付部は離隔して対向し、前記取付部は、前記離隔する方向へ貫通し、前記表示機器に固定される締結体を挿入して保持する第１孔を有し、前記基体は、前記第１孔に対向し、前記締結体が挿通される第２孔及び該第２孔から前記当接面に沿う方向へ離隔し、前記壁面に装着される掛止体に掛止される被掛止部を有することを特徴とする。
【００１１】
この発明にあっては、基体及び取付部が上下に対向するように配される場合でも、また、基体及び取付部が横方向に対向するように配される場合でも、基体の第２孔に挿通された雄螺子等の締結体を、取付部の第１孔に挿入することにより、支持体を表示機器に取付けることができるため、表示機器を据置きする支持体と、表示機器を壁掛けする支持体とを兼ねることができるとともに、据置き及び壁掛けされる際の取付構造を等しくすることができ、支持体の着脱作業性を高めることができる。また、壁掛けした際、表示機器から支持体に加わる荷重を、前記締結体及び取付部に分散させることができ、曲げ応力を低減できるため、支持体の重量の増加及び大型化を抑えて壁掛けした際の支持剛性を高めることができる。
【００１２】
また、本発明に係る支持体は、前記第１孔は小径であり、前記第２孔は前記第１孔より大径である構成とするのが好ましい。
この発明にあっては、第２孔は締結体の太さよりも若干太い程度の大きさにすることができるため、基体の剛性、ひいては支持体の剛性を高めることができ、耐久性を高めることができる。
【００１３】
また、本発明に係る支持体は、前記基体は板状をなしており、該基体の周縁部及び前記取付部に連なる枠部を有する構成とするのが好ましい。
この発明にあっては、基体及び取付部は枠部にて連なり、枠部内は空洞であるため、支持体を軽量にできる。
【００１４】
また、本発明に係る支持体は、前記枠部内に回路基板を装着してある構成とするのが好ましい。
この発明にあっては、表示機器に装着される回路基板の一部を支持体内の空洞に配することができるため、支持体を大型にすることなく、表示機器を小型化できる。
【００１５】
また、本発明に係る支持体は、前記取付部には、前記回路基板に接続されるコネクタを設けてある構成とするのが好ましい。
この発明にあっては、取付部にコネクタがあるため、据置きされる表示機器を支持する場合でも、また、壁掛けされる表示機器を支持する場合でも、該表示機器の端子と支持体の回路基板とをコネクタにて容易に接続することができる。
【００１６】
また、本発明に係る支持体は、前記枠部に第３孔を開設してある構成とするのが好ましい。
この発明にあっては、支持体外部の空気を第３孔から枠部内に導入し、枠部内の回路基板にて昇温した空気を第３孔から外部へ排気することができるため、支持体内の温度を低下させることができ、回路基板の耐久性を高めることができる。
【００１７】
また、本発明に係る表示装置は、表示面を有する表示部及び前記表示面を露出させて前記表示部を収容する筐体を有する表示機器と、該表示機器に装着される前述した発明の支持体とを備え、前記筐体は、前記表示面に沿う方向の一側と、前記表示面と対向する他側とに、前記第１孔に対応する第４孔を開設してあることを特徴とする。
【００１８】
この発明にあっては、表示装置が据置きされる場合、表示機器の一側に支持体の取付部を当接させた状態で基体の第２孔に挿通される締結体を取付部の第１孔及び前記一側の第４孔に嵌入することにより、支持体を表示機器の一側に固定することができ、表示機器を床面に据置きすることができる。また、表示機器の一側に支持体が取付けられている表示装置が壁掛けされる場合、外部から基体の第２孔に工具を挿入し、該工具にて締結体を第１孔から取外すことにより、支持体を表示機器の一側から容易に取外すことができる。この取外しされた支持体の取付部を表示機器の他側に当接させた状態で基体の第２孔に挿通される締結体を取付部の第１孔及び前記他側の第４孔に嵌入することにより、支持体を表示機器の他側に固定することができ、表示機器を壁掛けすることができる。このように据置き及び壁掛けされる際の取付構造が等しいため、支持体の着脱作業性を高めることができる。
【００１９】
また、本発明に係る表示装置は、前記筐体の他側に、前記支持体を収容する収容凹部を設けてある構成とするのが好ましい。
この発明にあっては、支持体の筐体に対する出っ張りをなくし得るため、壁掛けされる場合の壁面間の隙間を低減でき、壁掛け状態の品位を高めることができる。
【００２０】
また、本発明に係る表示装置は、前記一側及び他側の夫々には、前記コネクタに対応する第２コネクタを設けてある構成とするのが好ましい。
この発明にあっては、支持体の取付部を表示機器の一側に取付けるとき、又は、支持体の取付部を表示機器の他側に取付けるとき、取付部のコネクタを表示機器の第２コネクタに接続することができるため、支持体内に設けられている回路基板の接続を容易にできるとともに、該回路基板の接続忘れをなくすることができる。
【００２１】
また、本発明に係る表示装置は、前記第２コネクタ夫々は接続線にて接続されている構成とするのが好ましい。
この発明にあっては、枠部内の空洞に回路基板が設けられている支持体にて表示装置が据置き、又は壁掛けされる場合、据置き及び壁掛け兼用の支持体が備える回路基板の配線処理を簡易にできる。
【発明の効果】
【００２２】
本発明によれば、表示機器を据置きする支持体と、表示機器を壁掛けする支持体とを兼ねることができるとともに、据置き及び壁掛けされる際の取付構造を等しくすることができ、支持体の着脱作業性を高めることができる。また、壁掛けした際の曲げ応力を低減でき、支持体の重量の増加及び大型化を抑えて壁掛けした際の支持剛性を高めることができる。
【図面の簡単な説明】
【００２３】
【図１】本発明に係る支持体を備える表示装置の構成を示す前側斜視図である。
【図２】本発明に係る支持体を備える表示装置の構成を示す後側斜視図である。
【図３】本発明に係る表示装置の支持体を分離した状態を示す縦断面図である。
【図４】表示機器が据置きされる場合の構成を示す縦断面図である。
【図５】表示機器が壁掛けされる場合の構成を示す縦断面図である。
【図６】本発明に係る表示装置の他の構成を示す前側斜視図である。
【図７】本発明に係る表示装置の他の構成を示す後側斜視図である。
【図８】本発明に係る表示装置の支持体を分離した状態を示す縦断面図である。
【図９】表示機器が据置きされる場合の構成を示す縦断面図である。
【図１０】表示機器が壁掛けされる場合の構成を示す縦断面図である。
【発明を実施するための形態】
【００２４】
以下本発明をその実施の形態を示す図面に基づいて詳述する。
実施の形態１
図１は本発明に係る支持体を備える表示装置の構成を示す前側斜視図、図２は本発明に係る支持体を備える表示装置の構成を示す後側斜視図、図３は本発明に係る表示装置の支持体を分離した状態を示す縦断面図である。
【００２５】
図示した表示装置はテレビ画像を表示する表示面１１ａを前側に有し、略直方体をなす表示部１１、及び表示面１１ａを露出させて表示部１１を収容する筐体１２を有する表示機器１と、筐体１２の下面１２ａ又は後面１２ｂに取外し可能に取着され、表示機器１を支持する支持体２とを備える薄型の液晶テレビジョンである。
【００２６】
支持体２は、床面又は壁面に当接する当接面２１ａを有し、板状をなす基体２１と、筐体１２に取付けられる取付部２２と、基体２１の周縁部及び取付部２２に連なる枠部２３とを有する。
【００２７】
基体２１は、横方向に長い平面視矩形をなす金属板からなり、中央部には、当接面２１ａと直交する方向へ貫通し、締結体としての雄螺子３が挿通される二つの第２孔２４が長さ方向に離隔して開設されており、また、第２孔２４と当接面２１ａに沿う方向へ離隔した位置には、壁面に装着される掛止体に掛止される被掛止部としての掛止孔２５が開設されている。掛止孔２５は大径孔部、及び該大径孔部の周方向一部に連なる小径孔部にて略だるま形をなしている。
【００２８】
取付部２２及び枠部２３は一体に成形された金属板からなり、枠部２３が基体２１の周縁部に嵌合固定されている。枠部２３は平面視矩形をなし、基体２１の周縁に嵌合される嵌合筒部２３ａと、該嵌合筒部２３ａの一縁に連なり、基体２１と対向する天板部２３ｂと、該天板部２３ｂの中央部から外方へ突出する小形の角筒部２３ｃとを有し、該角筒部２３ｃの頂縁に、基体２１と平行的に対向する板状の取付部２２が設けられている。
【００２９】
取付部２２は平面視矩形をなし、当接面２１ａと直交する方向へ貫通する二つの第１孔２６が長さ方向に離隔して開設されている。第１孔２６は第２孔２４と対向しており、また、第１孔２６は第２孔２４よりも小径であり、雄螺子３の頭部を第１孔２６の周りで受止めるように構成されている。また、第２孔２４は第１孔２６よりも大径であり、雄螺子３を挿通することができるように構成されている。
【００３０】
表示部１１は前側に表示面１１ａを有する液晶の表示パネルと、該表示パネルの後側に配された光学シートと、該光学シートの後側に配された光源部とを備え、該光源部の後面に、前記表示パネル等に電圧を供給する電源回路基板、表示面１１ａに表示される画像を処理する端子回路基板、前記表示パネル等を制御する制御回路基板等の複数の回路基板が取付けられている。
【００３１】
筐体１２は、表示面１１ａを露出させるための開口１２ｃを前側に有し、第１孔２６に対応し、雄螺子３の先端部を固定するための第４孔１３が下面１２ａに開設され、支持体２を収容するための収容凹部１４が後面１２ｂに設けられている。収容凹部１４は、大形の浅底部１４ａ及び該浅底部１４ａの中央部から窪む深底部１４ｂを有し、該深底部１４ｂの中央部に、第１孔２６に対応し、雄螺子３の先端部を固定するための第４孔１３が開設されている。深底部１４ｂは、取付部２２の高さ以下の深さに形成され、支持体２が壁面に取付けられた際、筐体１２の後面１２ｂが壁面と接触するか、又は筐体１２の後面１２ｂと壁面との間に僅かな隙間が生じるように構成されている。また、下面１２ａの第４孔１３の周り、及び深底部１４ｂの第４孔１３の周りには筒形ボス１５が一体に設けられ、第４孔１３部分の剛性を高めてある。尚、筒形ボス１５は金属製とし、インサート成形、又は筐体１２に圧入固定するようになしてもよい。
【００３２】
図４は表示機器が据置きされる場合の構成を示す縦断面図である。表示機器１が床面に据置きされる場合、筐体１２の下面１２ａに支持体２の取付部２２を当接させた状態で基体２１の第２孔２４に雄螺子３を挿通し、該雄螺子３を第１孔２６及び第４孔１３に捩じ込むことにより、雄螺子３の頭部が取付部２２の第１孔２６の周りに当接し、取付部２２を筐体１２の下面１２ａに固定することができる。この場合、基体２１及び取付部２２が上下に対向し、表示機器１を床面に据置きすることができる。
【００３３】
また、筐体１２の下面１２ａに支持体２が取付けられている表示機器１が壁掛けされる場合、外部から基体２１の第２孔２４に工具を挿入し、該工具にて雄螺子３を弛緩させ、該雄螺子３を第４孔１３及び第１孔２６から取外すことにより、支持体２を筐体１２の下面１２ａから容易に取外すことができる。
【００３４】
図５は表示機器が壁掛けされる場合の構成を示す縦断面図である。表示機器１が壁掛けされる場合、支持体２を筐体１２の収容凹部１４に嵌め込み、収容凹部１４の深底部１４ｂに支持体２の取付部２２を当接させた状態で基体２１の第２孔２４に雄螺子３を挿通し、該雄螺子３を第１孔２６及び第４孔１３に捩じ込むことにより、雄螺子３の頭部が取付部２２の第１孔２６の周りに当接し、取付部２２を筐体１２の後面１２ｂに固定することができる。この場合、基体２１及び取付部２２が前後に対向し、表示機器１を壁掛けすることができる。この壁掛けは、基体２１の掛止孔２５が、壁面に装着される掛止体４に掛止される。この際、掛止孔２５は略だるま形をなしているため、大径孔部に掛止体４が嵌入された後、支持体の自重にて掛止体４が小径孔部に嵌まる。
【００３５】
以上のように支持体２及び該支持体２を取付けるための雄螺子３は、表示機器１の据置き、及び壁掛けの際に用いられ、しかも、取付部２２の第１孔２６に対応する第４孔１３が、筐体１２の下面１２ａ及び後面１２ｂに設けられており、取付構造が等しいため、表示機器１が据置き、又は壁掛けされる際に、取付箇所及び取付方法を間違えることなく支持体２を取付けることができ、支持体２の着脱作業性を高めることができる。
【００３６】
また、取付部２２は枠部２３にて基体２１に結合され、壁掛けされる表示機器１の荷重を、取付部２２及び枠部２３から基体２１に加えることができ、支持体に曲げ応力が加わらないため、支持体２の重量の増加及び大型化を抑えて壁掛けした際の支持剛性を高めることができる。
【００３７】
実施の形態２
図６は本発明に係る表示装置の他の構成を示す前側斜視図、図７は本発明に係る表示装置の他の構成を示す後側斜視図、図８は本発明に係る表示装置の支持体を分離した状態を示す縦断面図である。この表示装置は、支持体２の枠部２３内に、表示機器１に装着される電源回路基板等の回路基板５の一部を配したものである。
【００３８】
第２孔２４及び掛止孔２５を有する基体２１の内側で、第２孔２４及び掛止孔２５を避けた位置に、複数の電子部品６が実装さている一つ又は複数の回路基板５が装着されている。
【００３９】
壁掛け時に下側となる枠部２３の前側には複数の吸気孔２７が列状に開設され、また、壁掛け時に上側となる枠部２３の後側には複数の排気孔２８が列状に開設され、回路基板５が発生する熱にて枠部２３内に自然対流を発生させることができるように構成されている。
【００４０】
取付部２２には、第１孔２６と平行的に外部へ突出し、回路基板５に導線にて接続されているコネクタ７が設けられている。
【００４１】
筐体１２の下面１２ａ及び収容凹部１４には、コネクタ７に対応する第２コネクタ８が、第４孔１３と離隔して設けられている。第２コネクタ８は、表示機器１における光源部の後面に装着されている回路基板に導線にて接続されている。
【００４２】
図９は表示機器が据置きされる場合の構成を示す縦断面図である。表示機器１が床面に据置きされる場合、筐体１２の下面１２ａに支持体２の取付部２２を当接させるとき、コネクタ７が第２コネクタ８に接続され、この状態で基体２１の第２孔２４に雄螺子３を挿通し、該雄螺子３を第１孔２６及び第４孔１３に捩じ込むことにより、雄螺子３の頭部が取付部２２の第１孔２６の周りに当接し、取付部２２を筐体１２の底面に固定することができ、表示機器１を床面に据置きすることができる。
【００４３】
また、筐体１２の下面１２ａに支持体２が取付けられている表示機器１が壁掛けされる場合、支持体２を取外し方向へ引張り操作することによりコネクタ７及び第２コネクタ８の接続を離脱することができる。
【００４４】
図１０は表示機器が壁掛けされる場合の構成を示す縦断面図である。表示機器１が壁掛けされる場合、筐体１２の後面１２ｂに支持体２の取付部２２を当接させるとき、コネクタ７が第２コネクタ８に接続され、この状態で基体２１の第２孔２４に雄螺子３を挿通し、該雄螺子３を第１孔２６及び第４孔１３に捩じ込むことにより、雄螺子３の頭部が取付部２２の第１孔２６の周りに当接し、取付部２２を筐体１２の後面１２ｂに固定することができる。
【００４５】
以上のように筐体１２の下面１２ａ及び後面１２ｂに第２コネクタ８が設けられているため、取付部２２のコネクタ７が設けられている支持体２にて表示機器１が据置き、又は壁掛けされる際に、コネクタ７を第２コネクタ８に確実に接続することができる。
【００４６】
図１０に示すように表示機器１が壁掛けされた際には、支持体２の吸気孔２７が下方へ開放され、排気孔２８が上方へ開放されることになるため、支持体２内の回路基板５が発生する熱にて枠部２３内が昇温したとき、該枠部２３内の吸気孔２７及び排気孔２８間に自然対流が生じる。この自然対流により、吸気孔２７から枠部２３内に供給された外気にて枠部２３内を冷却し、枠部２３内の昇温した空気を排気孔２８から外部へ排出することができ、枠部２３内を冷却することができる。
その他の構成及び作用は実施の形態１と同様であるため、同様の部品については同じ符号を付し、その詳細な説明及び作用効果の説明を省略する。
【００４７】
尚、以上説明した実施の形態では、雄螺子３にて支持体２を取付け、ユーザの状況に応じて据置き、及び壁掛けに対応することができるように構成したが、その他、支持体２が一旦取付けられた後、該支持体２を取外すことがない場合にあっては、雄螺子３に代えて、一端に鍔部を有する嵌合ピンなどの締結体を第１孔２６から第４孔１３に圧入し、取付部２２を固定する構成としてもよく、雄螺子３に制限されない。
【００４８】
また、以上説明した実施の形態では、第１孔２６よりも大径の第２孔２４を基体２１に設けたが、この第２孔２４は雄螺子３などの締結体を枠部２３内に挿入することができるようになっておればよく、第２孔２４の大きさ及び形状は特に制限されない。
【００４９】
また、以上説明した実施の形態では、基体２１及び取付部２２に連なる枠部２３を有する構成としたが、その他、枠部２３の代わりに、取付部２２が基体２１の中央部と一体に成形され、第１孔２６及び第２孔２４がラジアル方向の段部にて連なる孔構造としてもよく、枠部２３はなくてもよい。
【００５０】
また、本発明に係る表示装置は液晶テレビジョン等の液晶表示装置である他、プラズマ表示装置、ＥＬディスプレイ等の表示装置であってもよい。
【符号の説明】
【００５１】
１    表示機器
１１  表示部
１２  筐体
１３  第４孔
２    支持体
２１  基体
２２  取付部
２３  枠部
２４  第２孔
２５  掛止孔（被掛止部）
２６  第１孔
２７  吸気孔（第３孔）
２８  排気孔（第３孔）
３    締結体（雄螺子）
５    回路基板
７    コネクタ
８    第２コネクタ
【図１】
2011002717.tif 000003
【図２】
2011002717.tif 000004
【図３】
2011002717.tif 000005
【図４】
2011002717.tif 000006
【図５】
2011002717.tif 000007
【図６】
2011002717.tif 000008
【図７】
2011002717.tif 000009
【図８】
2011002717.tif 000010
【図９】
2011002717.tif 000011
【図１０】
2011002717.tif 000012